(57)【要約】【課題】接触制御通信システム及び接触制御通信方法を提供する。【解決手段】接触制御通信システムは、携帯装置及び少なくとも１つのデータ伝送装置を備える。携帯装置は静電容量方式タッチパネルを有し、且つ静電容量方式タッチパネルはタッチを検知すると、タッチ検知信号を発信させる。データ伝送装置には送受信アンテナ及びインバーター回路が設置される。伝送データに基づいて信号変調回路が前記インバーター信号を送受信アンテナに出力させるか否かを決定させ、投影型静電容量タッチパネルがタッチ点の有無を検知させることで前記伝送データの論理状態を示し、伝送データを携帯装置に伝送させる。【選択図】図３
2016076212.tif 000002
【特許請求の範囲】
【請求項１】
接触制御通信システムであって、
携帯装置と、
データ伝送装置と、を備え、
前記携帯装置は、
タッチ制御を検出した場合に接触制御高周波検出信号を出力させる投影型静電容量タッチパネルと、
前記投影型静電容量タッチパネルに接続され、前記投影型静電容量タッチパネルのデータを受信させるための処理回路と、をさらに備え、
前記データ伝送装置は、
前記接触制御高周波検出信号を受信させるための信号受信アンテナと、
入力端及び出力端で構成される信号インバーター回路であって、前記信号インバーター回路の入力端は前記信号受信アンテナに接続され、前記接触制御高周波検出信号を受信させ、受信される前記接触制御高周波検出信号を逆変換させ、インバーター信号を出力させることと、
入力端及び出力端で構成される信号変調回路であって、前記信号変調回路の入力端は前記信号インバーター回路の出力端に接続され、前記インバーター信号を受信させ、前記信号変調回路は送信データ及び前記インバーター信号に基づいて変調信号を出力させることと、
入力端及び出力端で構成される信号増幅回路であって、前記信号増幅回路の入力端は前記信号変調回路の出力端に接続され、前記信号変調回路が出力させる変調信号を増幅させ、増幅信号を出力させることと、
前記信号増幅回路の出力端に接続され、前記増幅信号を出力させる信号出力アンテナと、をさらに備え、
ここでは、前記信号変調回路が前記伝送データを受信させ、前記伝送データに基づいて前記信号変調回路が前記インバーター信号を前記信号増幅回路に出力させるか否かを決定させ、前記投影型静電容量タッチパネルがタッチ点の有無を検知させることで前記伝送データの論理状態を示し、前記伝送データを前記処理回路に伝送させることを特徴とする接触制御通信システム。
【請求項２】
入力端及び出力端で構成される前置増幅回路をさらに備え、前記前置増幅回路の出力端は前記信号インバーター回路の入力端に接続され、前記前置増幅回路の入力端は前記信号受信アンテナに接続され、前記接触制御高周波検出信号を受信させ、前記接触制御高周波検出信号の前置増幅を行うことを特徴とする、請求項１に記載の接触制御通信システム。
【請求項３】
入力端及び出力端で構成されるフィルター回路をさらに備え、前記フィルター回路の入力端は前記前置増幅回路の出力端に接続され、前記フィルター回路の出力端は前記信号インバーター回路の入力端に接続され、前記フィルター回路により前置増幅後の接触制御高周波検出信号のフィルタリングを行うことを特徴とする、請求項２に記載の接触制御通信システム。
【請求項４】
前記前置増幅回路は、入力端及び出力端で構成されるエミッタフォロワ及び入力端及び出力端で構成されるエミッタ共通増幅器を備え、
前記エミッタフォロワの入力端は前記信号受信アンテナに接続され、前記信号受信アンテナに対してインピーダンス整合を行い、また、前記エミッタ共通増幅器の入力端は前記エミッタフォロワの出力端に接続され、前記エミッタ共通増幅器の出力端は前記信号インバーター回路の入力端に接続されることを特徴とする、請求項２に記載の接触制御通信システム。
【請求項５】
入力端及び出力端で構成されるイネーブル回路をさらに備え、前記イネーブル回路の入力端は前記前置増幅回路の出力端に接続され、前記前置増幅回路の出力端の信号のパケットの取得に使用され、前記イネーブル回路の出力端は前記信号インバーター回路、前記信号変調回路及び前記信号増幅回路が動作しているか否かの制御に用いられ、
前記イネーブル回路がパケットを取得させた場合、前記イネーブル回路が前記信号インバーター回路、前記信号変調回路及び前記信号増幅回路を起動させ、
前記イネーブル回路がパケットを未取得の場合、前記イネーブル回路が前記信号インバーター回路、前記信号変調回路及び前記信号増幅回路を終了させ、前記信号インバーター回路、前記信号変調回路及び前記信号増幅回路の動作を停止させることを特徴とする、請求項２に記載の接触制御通信システム。
【請求項６】
前記信号増幅回路は、
入力端及び出力端で構成されるインバーターであって、前記インバーターの入力端は前記信号変調回路の出力端に接続されることと、
第一端、第二端及び制御端で構成される上ブリッジスイッチであって、前記上ブリッジスイッチの第一端は電源電圧に接続され、前記上ブリッジスイッチの制御端は前記インバーターの出力端に接続されることと、
第一端、第二端及び制御端で構成される下ブリッジスイッチであって、前記下ブリッジスイッチの第一端は前記上ブリッジスイッチの第二端に接続され、前記下ブリッジスイッチの第二端は共通電圧に接続され、前記下ブリッジスイッチの制御端は前記インバーターの入力端に接続されることと、
入力端及び出力端で構成される共振回路であって、前記共振回路の入力端は前記上ブリッジスイッチの第二端に接続され、前記共振回路の出力端は前記信号出力アンテナに接続され、前記増幅信号の出力に用いられることと、を備えることを特徴とする、請求項１に記載の接触制御通信システム。
【請求項７】
前記共振回路は、
第一端及び第二端で構成されるＱ値抵抗であって、前記Ｑ値抵抗の第一端は前記共振回路の入力端に接続されることと、
第一端及び第二端で構成される共振インダクタンスであって、前記共振インダクタンスの第一端は前記Ｑ値抵抗の第二端にされ、且つ前記共振インダクタンスの第二端は前記共振回路の出力端に接続されることと、
第一端及び第二端で構成される共振キャパシタであって、前記共振キャパシタの第一端は前記共振インダクタンスの第二端に接続され、且つ前記共振キャパシタの第二端は前記共通電圧に接続されることと、を備えることを特徴とする、請求項１に記載の接触制御通信システム。
【請求項８】
前記信号増幅回路は、
入力端及び出力端で構成される昇圧型電源供給器であって、前記昇圧型電源供給器の入力端は電源電圧を受電させ、前記昇圧型電源供給器の出力端から昇圧電圧を出力させ、前記昇圧電圧は前記電源電圧より大きいことと、
入力端、出力端及び電源端で構成される出力段増幅器であって、前記出力段増幅器の電源端は前記昇圧型電源供給器の出力端に接続されて前記昇圧電圧を受電させ、前記出力段増幅器の入力端は前記信号変調回路の出力端に接続され、前記出力段増幅器の出力端は前記信号出力アンテナに接続されることと、を備えることを特徴とする、請求項１に記載の接触制御通信システム。
【請求項９】
前記伝送データが第一論理である場合、前記信号変調回路は周期中の第一期間に前記インバーター信号を出力させ、前記信号変調回路は前記周期中の第二期間に第一状態電圧を出力させ、前記伝送データが第二論理である場合、前記信号変調回路は前記周期中の前記第一期間に前記第一状態電圧を出力させ、前記信号変調回路は前記周期中の前記第二期間に前記インバーター信号を出力させ、前記第一期間に前記第二期間を加えると前記周期に等しくなることを特徴とする、請求項１に記載の接触制御通信システム。
【請求項１０】
前記伝送データが第一論理である場合、前記信号変調回路は周期中の前段の第一時間長に前記インバーター信号を出力させた後、第一状態電圧を出力させ、前記伝送データが第二論理である場合、前記信号変調回路は前記周期中の第二時間長に前記インバーター信号を出力させた後、前記第一状態電圧を出力させ、前記第一時間長は前記第二時間長に等しくないことを特徴とする、請求項１に記載の接触制御通信システム。
【請求項１１】
前記伝送データが第一論理である場合、前記信号変調回路は前段の第一時間長に前記インバーター信号を出力させた後、第二時間長の第一状態電圧を出力させ、前記伝送データが第二論理である、前記信号変調回路は前段の第三時間長に前記インバーター信号を出力させた後、前記第二時間長の前記第一状態電圧を出力させ、前記第一時間長は前記第三時間長に等しくないことを特徴とする、請求項１に記載の接触制御通信システム。
【請求項１２】
前記変調信号は第一状態及び第二状態に分けられ、
前記伝送データが第一論理であり且つ前記変調信号が前記第一状態である場合、前記変調信号は周期中の第一期間が前記第二状態となった後、前記変調信号は前記周期中の第二期間が前記第一状態になり、
前記伝送データが前記第一論理であり且つ前記変調信号が前記第二状態である場合、前記変調信号は前記周期中の前記第一期間が前記第一状態となった後、前記変調信号は前記周期中の前記第二期間が前記第二状態になり、
前記伝送データが前記第二論理であり且つ前記変調信号が前記第一状態である場合、前記変調信号は前記周期中の前記第一期間及び前記第二期間が前記第二状態となり、
前記伝送データが前記第二論理であり且つ前記変調信号が前記第二状態である場合、前記変調信号は前記周期中の前記第一期間及び前記第二期間が前記第一状態となり、
前記第一期間に前記第二期間を加えると前記周期に等しくなり、
前記第一状態は『前記信号変調回路が前記インバーター信号を出力』することであり、且つ前記第二状態は『前記信号変調回路が前記第一状態電圧を出力』することであることを特徴とする、請求項１に記載の接触制御通信システム。
【請求項１３】
データ伝送装置の伝送データを、接触制御メディアを介して携帯装置に伝送させるために使用され、前記携帯装置はタッチ制御操作を検知させるための投影型静電容量タッチパネルを有する接触制御通信方法であって、
前記投影型静電容量タッチパネルにより接触制御高周波検出信号を取得させることと、
前記接触制御高周波検出信号を逆変換させて、増幅させてインバーター信号を獲得させることと、
前記伝送データに基づいて前記インバーター信号を前記投影型静電容量タッチパネルに出力させるか否かを決定させ、前記投影型静電容量タッチパネルがタッチ点の有無を検知させることで前記伝送データの論理状態を示し、前記伝送データを前記携帯装置に伝送させることと、を含むことを特徴とする接触制御通信方法。
【請求項１４】
『前記伝送データに基づいて前記インバーター信号を前記投影型静電容量タッチパネルに出力させるか否かを決定させ、前記投影型静電容量タッチパネルがタッチ点の有無を検知させることで前記伝送データの論理状態を示し、前記伝送データを前記携帯装置に伝送させること』は、
前記伝送データが第一論理である場合、周期中の第一期間に前記インバーター信号を出力させ、前記信号変調回路は前記周期中の第二期間に第一状態電圧を出力させることと、
前記伝送データが第二論理である場合、前記周期中の前記第一期間に前記第一状態電圧を出力させ、前記信号変調回路は前記周期中の前記第二期間に前記インバーター信号を出力させることと、を含み、前記第一期間に前記第二期間を加えると前記周期に等しくなることを特徴とする、請求項１３に記載の接触制御通信方法。
【請求項１５】
『前記伝        送データに基づいて前記インバーター信号を前記投影型静電容量タッチパネルに出力させるか否かを決定させ、前記投影型静電容量タッチパネルがタッチ点の有無を検知させることで前記伝送データの論理状態を示し、前記伝送データを前記携帯装置に伝送させること』は、
前記伝送データが第一論理である場合、周期中の前段の第一時間長に前記インバーター信号を出力させた後、第一状態電圧を出力させることと、
前記伝送データが第二論理である場合、前記周期中の第二時間長に前記インバーター信号を出力させた後、前記第一状態電圧を出力させることと、を含み、前記第一時間長は前記第二時間長に等しくないことを特徴とする、請求項１３に記載の接触制御通信方法。
【請求項１６】
『前記伝送データに基づいて前記インバーター信号を前記投影型静電容量タッチパネルに出力させるか否かを決定させ、前記投影型静電容量タッチパネルがタッチ点の有無を検知させることで前記伝送データの論理状態を示し、前記伝送データを前記携帯装置に伝送させること』は、
前記伝送データが第一論理である場合、前段の第一時間長に前記インバーター信号を出力させた後、第二時間長の第一状態電圧を出力させることと、
前記伝送データが第二論理である場合、前段の第三時間長に前記インバーター信号を出力させた後、前記第二時間長の前記第一状態電圧を出力させることと、を含み、前記第一時間長は前記第三時間長に等しくないことを特徴とする、請求項１３に記載の接触制御通信方法。
【請求項１７】
『前記伝送データに基づいて前記インバーター信号を前記投影型静電容量タッチパネルに出力させるか否かを決定させ、前記投影型静電容量タッチパネルがタッチ点の有無を検知させることで前記伝送データの論理状態を示し、前記伝送データを前記携帯装置に伝送させること』は、
第一状態及び第二状態に分けられる変調信号を提供することと、
前記伝送データが第一論理であり且つ前記変調信号が前記第一状態である場合、前記変調信号は周期中の第一期間が前記第二状態となった後、前記変調信号は前記周期中の第二期間が前記第一状態となることと、
前記伝送データが前記第一論理であり且つ前記変調信号が前記第二状態である場合、前記変調信号は前記周期中の前記第一期間が前記第一状態となった後、前記変調信号は前記周期中の前記第二期間が前記第二状態となることと、
前記伝送データが前記第二論理であり且つ前記変調信号が前記第一状態である場合、前記変調信号は前記周期中の前記第一期間及び前記第二期間が前記第二状態となることと、
前記伝送データが前記第二論理であり且つ前記変調信号が前記第二状態である場合、前記変調信号は前記周期中の前記第一期間及び前記第二期間が前記第一状態となることとを含み、
前記第一期間に前記第二期間を加えると前記周期に等しくなり、
前記第一状態は『前記インバーター信号が出力される』ことであり、且つ前記第二状態は『第一状態電圧が出力される』ことであることを特徴とする、請求項１３に記載の接触制御通信方法。
【発明の詳細な説明】
【技術分野】
【０００１】
本発明は、静電容量検出技術に関し、より詳しくは、静電容量タッチ制御装置のＳＮ比の増加方法及び静電容量方式検知器及び静電容量方式タッチパネルの使用に関する。
【背景技術】
【０００２】
タッチパネルは、一般的には液晶ディスプレイに貼付される装置或いはノートパソコンに貼付される装置であり、その機能は使用者が指或いはスタイラスペンでタッチパネル上のメニューを軽く押すことでデータ伝送ないしはスクリーン上のメッセージの閲覧が可能になる。タッチパネルの応用範囲は相当に広く、以下に詳述するものを含む。
（１）携帯式の情報端末、生活家電製品及び情報通信製品：例えばＰＤＡ、タブレットパソコン、デジタルカメラ、ＩＴ家電、３Ｇ＼４Ｇ携帯電話等。
（２）金融或いは商業用途：例えばＡＴＭ、販売システム、遠隔テレビ会議、電話端末機システム。
（３）工業用途：例えば工場自動化制御システム、中央監視システム、ワークステーションシステム；
（４）公共情報管理用途：例えば空港、駐車場或いはショッピングセンターの案内サービス、簡単な説明及び情報検索等。
【０００３】
タッチパネルの検知方式は、指で検知器にタッチすると、アナログ信号が出力され、制御器により上述の出力されたアナログ信号がパソコンで受信可能なデジタル信号に変換され、パソコンのタッチ制御ドライバにより各部材のコンパイルを整合させ、最後にビデオカードによりスクリーン信号を出力させてスクリーン上にタッチされた位置を表示させる。
【０００４】
図１は従来の静電容量方式タッチパネルを示す概念図である。図１を参照すると、静電容量方式タッチパネルは相互容量形態（ｍｕｔｕａｌ  ｃａｐａｃｉｔａｎｃｅ）の静電容量方式タッチパネルである。タッチパネルは駆動電極１０１と、受信電極１０２と、パルス出力回路１０３とを備える。パルス出力回路１０３は３．３Ｖのパルスを駆動電極１０１に出力させる。駆動電極１０１は外に対して電場信号を発生させる。指で静電容量方式タッチパネルにタッチすると、一部の電場が指に吸収され、充放電時間が改変される。
【０００５】
また、スマートフォン及びタブレットパソコンの普及に従い、スマートフォン及びタブレットパソコンにはマルチタッチが可能なタッチスクリーンが装備されるようになっている。また、スマートフォン及びタブレットパソコンはＵＳＢ、ＳＤカード、ブルートゥース等のインターフェースを通して周辺機器に接続される。これらのタッチスクリーンを有する携帯式装置では、タッチスクリーンの特性を利用してデータの伝送を行うわけではない。そこで、本発明者は上記の欠点が改善可能と考え、鋭意検討を重ねた結果、２０１２年１０月１７日（出願番号ＴＷ１００１３７５４７）に、タッチスクリーンの特性を利用してデータの伝送を行う解決方法を提出した。
【発明の概要】
【発明が解決しようとする課題】
【０００６】
しかしながら、前述した技術の欠点は、少なくとも３つのタッチ点がなければタッチスクリーンで情報通信が行えず、加えて３点の間の距離にも一定の制限があり、近過ぎれば十分に接地されない。また、一般的な  タッチスクリーンでは１０点のマルチタッチを提供するのみであり、最多で３つの装置が存在することを意味する。換言すれば、従来のタッチスクリーンを有する携帯式装置の周辺伝送技術には改善の余地がある。
【０００７】
本発明は、以上の従来技術の課題を解決する為になされたものである。即ち、本発明の目的は、接触制御通信システム及び接触制御通信方法を提供する。つまり、１つのタッチ点のみを使用し（２つ以上タッチ点でも動作可能）、タッチパネルを媒介として、データを外部からタッチパネルを有する携帯装置に伝送させる。
【課題を解決するための手段】
【０００８】
上述した課題を解決し、目的を達成するために、本発明に係る接触制御通信システムは、携帯装置及びデータ伝送装置を備える。携帯装置は投影型静電容量タッチパネル及び処理回路をさらに備える。投影型静電容量タッチパネルがタッチ制御を検出させると、接触制御高周波検出信号を出力させる。処理回路は投影型静電容量タッチパネルに接続され、投影型静電容量タッチパネルのデータの受信に使用される。データ伝送装置は信号受信アンテナと、信号インバーター回路と、信号変調回路と、信号増幅回路と、信号出力アンテナとを含む。信号受信アンテナは接触制御高周波検出信号の受信に使用される。信号インバーター回路は入力端及び出力端で構成される。信号インバーター回路の入力端は信号受信アンテナに接続され、接触制御高周波検出信号を受信させ、受信される接触制御高周波検出信号を逆変換させ、インバーター信号を出力させる。信号変調回路は入力端及び出力端で構成され、信号変調回路の入力端は信号インバーター回路の出力端に接続され、インバーター信号を受信させ、信号変調回路は送信データ及びインバーター信号に基づいて変調信号を出力させる。信号増幅回路は入力端及び出力端で構成される。信号増幅回路の入力端は信号変調回路の出力端に接続され、信号変調回路が出力させる変調信号を増幅させ、増幅信号を出力させる。信号出力アンテナは信号増幅回路の出力端に接続され、増幅信号を出力させる。
【０００９】
信号変調回路は伝送データを受信させ、伝送データに基づいて信号変調回路がインバーター信号を信号増幅回路に出力させるか否かを決定させ、投影型静電容量タッチパネルがタッチ点の有無を検知させることで伝送データの論理状態を示し、伝送データを処理回路に伝送させる。
【００１０】
また、本発明に係る接触制御通信方法は、データ伝送装置の伝送データが接触制御メディアを介して携帯装置に伝送される。携帯装置は投影型静電容量タッチパネルを有し、タッチ制御操作を検知させる。接触制御通信方法は、投影型静電容量タッチパネルにより接触制御高周波検出信号を取得させることと、前記接触制御高周波検出信号を逆変換させて増幅させてインバーター信号を獲得させることと、伝送データに基づいてインバーター信号を前記投影型静電容量タッチパネルに出力させるか否かを決定させ、投影型静電容量タッチパネルがタッチ点の有無を検知させることで伝送データの論理状態を示し、伝送データを携帯装置に伝送させることとを含む。
【００１１】
本発明の好ましい実施形態に係る接触制御通信システム及び接触制御通信方法に基づくと、伝送データが第一論理である場合、信号変調回路は周期中の第一期間にインバーター信号を出力させ、信号変調回路は周期中の第二期間に第一状態電圧を出力させる。伝送データが第二論理である場合、信号変調回路は周期中の第一期間に第一状態電圧を出力させ、信号変調回路は周期中の前記第二期間にインバーター信号を出力させる。第一期間に第二期間を加えると上述の周期に等しくなる。
【００１２】
本発明の好ましい実施形態に係る接触制御通信システム及び接触制御通信方法に基づくと、伝送データが第一論理である場合、信号変調回路は周期中の前段の第一時間長にインバーター信号を出力させた後、第一状態電圧を出力させる。伝送データが第二論理である場合、信号変調回路は前記周期中の第二時間長にインバーター信号を出力させた後、第一状態電圧を出力させる。第一時間長は第二時間長に等しくない。
【００１３】
本発明の好ましい実施形態に係る接触制御通信システム及び接触制御通信方法に基づくと、伝送データが第一論理である場合、信号変調回路は前段の第一時間長でインバーター信号を出力させた後、第二時間長の第一状態電圧を出力させる。伝送データが第二論理である場合、信号変調回路は前段の第三時間長にインバーター信号を出力させた後、第二時間長の前記第一状態電圧を出力させる。第一時間長は第三時間長に等しくない。
【００１４】
本発明の好ましい実施形態に係る接触制御通信システム及び接触制御通信方法に基づくと、上述の変調信号は第一状態及び第二状態に分けられる。伝送データが第一論理であり且つ変調信号が第一状態である場合、変調信号は周期中の第一期間が第二状態となった後、変調信号は周期中の第二期間が第一状態となる。伝送データが前記第一論理であり且つ変調信号が第二状態である場合、変調信号は前記周期中の第一期間が第一状態となった後、変調信号は周期中の第二期間が第二状態となる。伝送データが第二論理であり且つ変調信号が第一状態である場合、変調信号は周期中の第一期間及び第二期間が第二状態となる。伝送データが第二論理であり且つ変調信号が第二状態である場合、変調信号は周期中の第一期間及び第二期間が第一状態となる。第一期間に第二期間を加えると上述の周期に等しくなる。第一状態は『信号変調回路がインバーター信号を出力』することであり、且つ第二状態は『信号変調回路が前記第一状態電圧を出力』することである。
【発明の効果】
【００１５】
本発明の精神はアンテナを利用して投影型静電容量タッチパネルが出力させる接触制御高周波検出信号を受信させ、且つデータの論理状態に基づいて上述の接触制御高周波検出信号を逆変換させるか否かを決定させると共に逆変換されたタッチ信号がアンテナを経て投影型静電容量タッチパネルに返送され、投影型静電容量タッチパネルがタッチ点を検知させることで、投影型静電容量タッチパネルがタッチ点の有無を検出させ、これによりタッチパネルが伝送させたデータの論理状態を判定させる。
【図面の簡単な説明】
【００１６】
【図１】従来の静電容量方式タッチパネルを示す概念図である。
【図２】本発明の一実施形態に係る接触制御通信システムを示す概念図である。
【図３】本発明の一実施形態に係る接触制御通信システムの投影型静電容量タッチパネル２０３を示す回路図である。
【図４】本発明の一実施形態に係る接触制御通信システムのデータ伝送装置２０２を示す回路図である。
【図５】本発明の一実施形態に係る接触制御通信システムの操作原理を示す概念図である。
【図６Ａ】本発明の一実施形態に係る接触制御通信システムの信号変調回路４０３が使用されるマンチェスター（Ｍａｎｃｈｅｓｔｅｒ）の符号化法の概念図である。
【図６Ｂ】本発明の一実施形態に係る接触制御通信システムの信号変調回路４０３が使用されるパルス幅変調（Ｐｕｌｓｅ  Ｗｉｄｔｈ  Ｍｏｄｕｌａｔｉｏｎ、ＰＷＭ）の符号化法の概念図である。
【図６Ｃ】本発明の一実施形態に係る接触制御通信システムの信号変調回路４０３が使用されるパルス位置変調（Ｐｕｌｓｅ  Ｐｏｓｉｔｉｏｎ  Ｍｏｄｕｌａｔｉｏｎ、ＰＰＭ）の符号化法の概念図である。
【図６Ｄ】本発明の一実施形態に係る接触制御通信システムの信号変調回路４０３が使用されるバイフェーズ（Ｂｉ  Ｐｈａｓｅ  ｅｎｃｏｄｉｎｇ）の符号化法の概念図である。
【図７】本発明の一実施形態に係る接触制御通信システムの信号変調回路４０３が使用されるバイフェーズ（Ｂｉ  Ｐｈａｓｅ  ｅｎｃｏｄｉｎｇ）の符号化法の波形図である。
【図８Ａ】本発明の一実施形態に係る接触制御通信システムの信号増幅回路４０４及び信号出力アンテナ４０５を示す回路図である。
【図８Ｂ】本発明の一実施形態に係る接触制御通信システムの信号受信アンテナ４０１及び信号出力アンテナ４０５を示す回路図である。
【図９】本発明の一実施形態に係る接触制御通信システムの送信データのパケット図である。
【図１０】本発明の一実施形態に係る接触制御通信システムのデータ伝送装置２０２の詳細な回路図である。
【図１１】本発明の一実施形態に係る接触制御通信システムのデータ伝送装置２０２の詳細な回路図である。
【図１２】本発明の一実施形態に係る接触制御通信方法のフローチャートである。
【図１３】本発明の一実施形態に係る接触制御通信方法がマンチェスター（Ｍａｎｃｈｅｓｔｅｒ）の符号化法によりＳ１２０３工程を行うサブ工程のフローチャートである。
【図１４】本発明の一実施形態に係る接触制御通信方法がパルス幅変調（Ｐｕｌｓｅ  Ｗｉｄｔｈ  Ｍｏｄｕｌａｔｉｏｎ、ＰＷＭ）の符号化法によりＳ１２０３工程を行うサブ工程のフローチャートである。
【図１５】本発明の一実施形態に係る接触制御通信方法がパルス位置変調（Ｐｕｌｓｅ  Ｐｏｓｉｔｉｏｎ  Ｍｏｄｕｌａｔｉｏｎ、ＰＰＭ）の符号化法によりＳ１２０３工程を行うサブ工程のフローチャートである。
【図１６】本発明の一実施形態に係る接触制御通信方法がバイフェーズの符号化法（Ｂｉ  Ｐｈａｓｅ  ｅｎｃｏｄｉｎｇ）によりＳ１２０３工程を行うサブ工程のフローチャートである。
【発明を実施するための形態】
【００１７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００１８】
以下、本発明の具体的な実施形態について添付図面に基づき説明する。図２は本発明の一実施形態に係る接触制御通信システムを示す概念図である。図２を参照すると、接触制御通信システムは携帯装置２０１及びデータ伝送装置２０２を備える。データ伝送装置２０２は携帯装置２０１の投影型静電容量タッチパネル２０３に載置される。投影型静電容量タッチパネル２０３は主に使用者が指或いは他の物体でタッチ点をタッチさせるために使用される。携帯装置２０１内の処理回路（図示せず）は内部の特定のアプリケーションプログラムにより、データ伝送装置２０２に保存される伝送データのデコードを行う。
【００１９】
図３は本発明の一実施形態に係る接触制御通信システムの投影型静電容量タッチパネル２０３を示す回路図である。図３を参照し、一般的には、投影型静電容量タッチパネル２０３はパルス検出出力回路３０３と、接触制御検出回路３０４と、Ｘ軸誘導電極３０１‐１〜３０１‐４と、Ｙ軸誘導電極３０２‐１〜３０２‐４とを有する。Ｘ軸誘導電極３０１‐１〜３０１‐４はパルス検出出力回路３０３が発信させる接触制御高周波検出信号ＲＦを順に受信させ、使用者がＸ軸誘導電極３０１‐３とＹ軸誘導電極３０２‐２との交叉箇所をタッチした場合、Ｘ軸誘導電極３０１‐３が接触制御高周波検出信号ＲＦを発信させると、発信される接触制御高周波検出信号ＲＦを指が吸収させ、Ｙ軸誘導電極３０２‐２が接続される接触制御検出回路３０４は接触制御高周波検出信号ＲＦの電場を検出不能になるか、或いは減衰した接触制御高周波検出信号ＲＦを検出させる。この際、携帯装置２０１はＸ軸誘導電極３０１‐３とＹ軸誘導電極３０２‐２との交叉箇所がタッチされたと判定させる。
【００２０】
図４は本発明の一実施形態に係る接触制御通信システムのデータ伝送装置２０２を示す回路図である。図４を参照すると、この実施形態では、データ伝送装置２０２は信号受信アンテナ４０１と、信号インバーター回路４０２と、信号変調回路４０３と、信号増幅回路４０４と、信号出力アンテナ４０５とを備える。信号受信アンテナ４０１は接触制御高周波検出信号ＲＦの受信に使用される。信号インバーター回路４０２の入力端は信号受信アンテナ４０１に接続され、接触制御高周波検出信号ＲＦを受信させ、受信される接触制御高周波検出信号ＲＦを逆変換させ、インバーター信号ＩＮＶを出力させる。信号変調回路４０３の入力端は信号インバーター回路４０２の出力端に接続され、インバーター信号ＩＮＶを受信させ、信号変調回路４０３は送信データＤＡＴＡ及びインバーター信号ＩＮＶに基づいて変調信号ＭＯＤを出力させる。信号増幅回路４０４の入力端は信号変調回路４０３の出力端に接続され、信号変調回路４０３が出力させる変調信号ＭＯＤを増幅させ、増幅信号ＡＳを出力させる。信号出力アンテナ４０５は信号増幅回路４０４の出力端に接続され、増幅信号ＡＳを出力させる。
【００２１】
また、この実施形態では、信号インバーター回路４０２は前置増幅回路４０６と、フィルター４０７と、インバーター４０８とを備える。一般的には、信号受信アンテナ４０１により受信される接触制御高周波検出信号ＲＦは弱いため、前置増幅回路４０６により増幅された後に信号処理しやすくなる。フィルター４０７は前置増幅後の接触制御高周波検出信号ＡＲＦのフィルタリングを行い、ノイズを除去し、フィルター信号ＦＲＦを獲得させる。インバーター４０８はフィルター信号ＦＲＦに対して逆変換処理を行う。
【００２２】
図５は本発明の一実施形態に係る接触制御通信システムの操作原理を示す概念図である。図５を参照すると、投影型静電容量タッチパネル２０３のＸ軸誘導電極５０１は接触制御高周波検出信号ＲＦを受信させ、且つ接触制御高周波検出信号ＲＦに基づいて電場信号５０３を投影させる。データ伝送装置２０２が投影型静電容量タッチパネル２０３に接近するか配置されると、データ伝送装置２０２の信号受信アンテナ４０１が接触制御高周波検出信号ＲＦの電場信号５０３を受信させると同時に、データ伝送装置２０２が上述の電場信号５０３を逆変換させ、インバーター接触制御高周波検出信号ＩＮＶＲＦを出力させる。インバーター接触制御高周波検出信号ＩＮＶＲＦは信号出力アンテナ４０５により出力された後、データ伝送装置２０２がインバーター電場信号５０４（干渉電場）を投影させる。これにより、Ｙ軸誘導電極５０２は干渉電場信号５０４のためにＹ軸誘導電極５０２が接続される接触制御検出回路３０４は接触制御高周波検出信号ＲＦの電場信号を検出できず、或いは減衰した接触制御高周波検出信号ＲＦを検出させる。この際、携帯装置２０１の投影型静電容量タッチパネル２０３がタッチされたと判定される。本案は投影型静電容量タッチパネル２０３がデータ伝送装置２０２によりタッチされたか否かを検出させ、データ伝送装置２０２が出力させるデータをさらに獲得させる。
【００２３】
以下、図６Ａ〜図６Ｄを参照して本発明の一実施形態で使用する符号化方式を説明する。図６Ａは本発明の一実施形態に係る接触制御通信システムの信号変調回路４０３が使用されるマンチェスター（Ｍａｎｃｈｅｓｔｅｒ）の符号化法の概念図である。図６Ａを参照すると、送信データＤＡＴＡが論理０である場合、信号変調回路４０３が出力させる変調信号ＭＯＤにより時間期間Ｔ１に投影型静電容量タッチパネル２０３にタッチ点を検知させず、続いて、第二時間期間Ｔ２に信号変調回路４０３が出力させる変調信号ＭＯＤにより投影型静電容量タッチパネル２０３にタッチ点を検知させる。送信データＤＡＴＡが論理１である場合、信号変調回路４０３が出力させる変調信号ＭＯＤは時間期間Ｔ１に投影型静電容量タッチパネル２０３にタッチ点を検知させ、続いて、時間期間Ｔ２に信号変調回路４０３が出力させる変調信号ＭＯＤにより投影型静電容量タッチパネル２０３にタッチ点を検知させないようにする。
【００２４】
図６Ｂは本発明の一実施形態に係る接触制御通信システムの信号変調回路４０３が使用されるパルス幅変調（Ｐｕｌｓｅ  Ｗｉｄｔｈ  Ｍｏｄｕｌａｔｉｏｎ、ＰＷＭ）の符号化法の概念図である。図６Ｂを参照すると、符号化方式はデータの論理によりパルス幅（デューティ周期（ｄｕｔｙ  ｃｙｃｌｅ））の大きさを決定させる。送信データＤＡＴＡが論理０である場合、信号変調回路４０３が出力させる変調信号ＭＯＤにより時間期間Ｔ１及び時間期間Ｔ２に投影型静電容量タッチパネル２０３にタッチ点を検知させ、続いて、時間期間Ｔ３に信号変調回路４０３が出力させる変調信号ＭＯＤにより投影型静電容量タッチパネル２０３にタッチ点を検知させないようにする。送信データＤＡＴＡが論理０である場合、信号変調回路４０３が出力させる変調信号ＭＯＤにより時間期間Ｔ１に投影型静電容量タッチパネル２０３にタッチ点を検知させ、続いて、時間期間Ｔ２及び時間期間Ｔ３に信号変調回路４０３が出力させる変調信号ＭＯＤにより投影型静電容量タッチパネル２０３にタッチ点を検知させないようにする。
【００２５】
図６Ｃは本発明の一実施形態に係る接触制御通信システムの信号変調回路４０３が使用されるパルス位置変調（Ｐｕｌｓｅ  Ｐｏｓｉｔｉｏｎ  Ｍｏｄｕｌａｔｉｏｎ、ＰＰＭ）の符号化法の概念図である。図６Ｃを参照すると、符号化方式はデータの論理によりパルスの位置を決定させる。本実施形態では論理低電圧のパルスを例にする。送信データＤＡＴＡが論理０である場合、信号変調回路４０３が出力させる変調信号ＭＯＤにより時間期間Ｔ１及び時間期間Ｔ２に投影型静電容量タッチパネル２０３にタッチ点を検知させ、続いて、時間期間Ｔ３に信号変調回路４０３が出力させる変調信号ＭＯＤにより投影型静電容量タッチパネル２０３にタッチ点を検知させないようにする。送信データＤＡＴＡが論理０である場合、信号変調回路４０３が出力させる変調信号ＭＯＤにより時間期間Ｔ１に投影型静電容量タッチパネル２０３にタッチ点を検知させ、続いて、時間期間Ｔ２に信号変調回路４０３が出力させる変調信号ＭＯＤにより投影型静電容量タッチパネル２０３にタッチ点を検知させないようにする。
【００２６】
図６Ｄは本発明の一実施形態に係る接触制御通信システムの信号変調回路４０３が使用されるバイフェーズ（Ｂｉ  Ｐｈａｓｅ  ｅｎｃｏｄｉｎｇ）の符号化法の概念図である。図６Ｄを参照すると、符号６０１は最初の送信データＤＡＴＡの波形であり、符号６０２はクロック信号の波形であり、符号６０３は変調後の変調信号の波形である。上述のように、変調信号の規則は、各クロックのサンプリング時間（本実施形態ではポジティブエッジトリガ（ｐｏｓｉｔｉｖｅ−ｅｄｇｅ  ｔｒｉｇｇｅｒ））は、データが論理１か論理０かに関わらず、変調信号の状態は変調信号の以前の状態と同じである。データが論理１であり且つ変調信号６０３の以前の状態が論理低電圧である場合、変調信号６０３は時間期間Ｔ１に先に論理高電圧に転換され、時間期間Ｔ２に論理低電圧に転換される。データが論理０であり且つ変調信号６０３の以前の状態が論理低電圧である場合、変調信号６０３は時間期間Ｔ３に先に論理高電圧に転換され、時間期間Ｔ４に論理高電圧に維持される。データが論理０であり且つ変調信号６０３の以前の状態が論理高電圧である場合、変調信号６０３は時間期間Ｔ５に先に論理低電圧に転換され、時間期間Ｔ６に論理低電圧に維持される。データが論理１であり且つ変調信号６０３の以前の状態が論理高電圧である場合、変調信号６０３は時間期間Ｔ７に先に論理低電圧に転換され、時間期間Ｔ８に論理高電圧に転換される。
【００２７】
変調信号６０３が論理高電圧である場合、投影型静電容量タッチパネル２０３がタッチ点を検知させたことを示し、変調信号６０３が論理低電圧である場合、投影型静電容量タッチパネル２０３がタッチ点を検知していないことを示す。これにより、携帯装置２０１内の対応するアプリケーションプログラムがタッチ点の有無を検出させて解読させることで、データ伝送装置２０２が携帯装置２０１に伝送させるデータを判断させる。
【００２８】
図７は本発明の一実施形態に係る接触制御通信システムの信号変調回路４０３が使用されるバイフェーズ（Ｂｉ  Ｐｈａｓｅ  ｅｎｃｏｄｉｎｇ）の符号化法の波形図である。この実施形態では、接触制御高周波検出信号ＲＦは投影型静電容量タッチパネル２０３が発信させる信号であり、データ伝送装置２０２を経てアンテナで受信された後、伝送データＤＡＴＡの論理状態に基づいて変調を行い、変調信号ＭＯＤを出力させる。変調信号ＭＯＤのパルス及び接触制御高周波検出信号ＲＦは逆変換され、タッチ制御の検知電場が干渉されると、タッチ制御のイベントに繋がる。携帯装置２０１は内部の処理回路（例えばＣＰＵ）及びアプリケーションプログラムにより、上述のタッチ制御のイベントのデコード及び解読を行い、デコードイベントを獲得する。その後、携帯装置２０１は再度内部の処理回路（例えばＣＰＵ）及びアプリケーションプログラムにより、デコードイベントを受信データに転換させる。このほか、本実施形態では、論理１及び論理０の変調方式は上述の図６Ｃの論理１及び論理０の変調方式の反対である。本技術分野で通常知識を有する者ならば、変調方式の選択を改変可能である。故に、本発明はこれに制限されない。
【００２９】
図８Ａは本発明の一実施形態に係る接触制御通信システムの信号増幅回路４０４及び信号出力アンテナ４０５を示す回路図である。図８Ｂは本発明の一実施形態に係る接触制御通信システムの信号受信アンテナ４０１及び信号出力アンテナ４０５を示す回路図である。図８Ａに示すように、変調信号ＭＯＤはハーフブリッジ回路８０１により矩形波を転換させて共振回路８０２に入力させて共振させ、本来３ボルト〜５ボルトの振幅を３０ボルトの振幅の正弦波信号に転換させる。一方、図８Ｂに示すように、受信アンテナＲＸＡは金属材質であり、１本の金属線でもよい。変調信号ＭＯＤはインダクタンス・キャパシタンスＬＣにより共振されて電圧を上げる。異なるタッチパネルのＲＦの周波数は終始同じであり、複数組のキャパシタンスを組み合わせて適切な共振周波数に調整させるか、或いは低品質広帯域幅（ｌｏｗ  Ｑ  ｗｉｄｅ  ｂａｎｄｗｉｄｔｈ）のインダクタンス・キャパシタンス共振回路とする必要がある。このほか、上述の図８Ａ及び図８Ｂによれば、共振回路８０２のコイルは信号出力アンテナ４０５であり、キャパシタンスとコイルとの接続関係は交換可能であり、詳述は省く。
【００３０】
図９は本発明の一実施形態に係る接触制御通信システムの送信データのパケット図である。図９を参照すると、伝送データのパケットはヘッダ（Ｈｅａｄｅｒ）フィールドと、データ（ＩＤ）フィールドと、巡回冗長検査（Ｃｙｃｌｉｃ  Ｒｅｄｕｎｄａｎｃｙ  Ｃｈｅｃｋ、ＣＲＣ）フィールドとを備える。本実施形態では、ヘッダフィールドは５つの論理１をヘッダビットとし、データフィールド部分は各ニブル（ｎｉｂｂｌｅ）を１組に分け、各組に１つの論理０を組み合わせてストップビットとし、合計４組になる。巡回冗長検査フィールドには、例えばｆ（ｘ）＝ｘ３＋ｘ＋１等の多項式検査を採用する。
【００３１】
一般的なｉＰｈｏｎｅ或いはｉＰａｄのタッチパネルを例にすると、そのレポートレート（ｒｅｐｏｒｔ  ｒａｔｅ）は１２０Ｈｚである  。１２０Ｈｚのレポートレート（ｒｅｐｏｒｔ  ｒａｔｅ）で計算すると、イベント時間（ｅｖｅｎｔ  ｔｉｍｅ、即ちタッチ制御の検出時間）は（１／１２０Ｈｚ）×４＝３３ｍｓとなり、換算の後、ｉＰｈｏｎｅ或いはｉＰａｄのタッチパネルは毎秒３０ビット受信させる。本実施形態のパケットは丁度３０ビットであり、換言すれば、本実施形態のデータ伝送率（ｄａｔａ  ｒａｔｅ）は１６ビット／毎秒である。
【００３２】
図１０は本発明の一実施形態に係る接触制御通信システムのデータ伝送装置２０２の詳細な回路図である。図１０に示すように、データ伝送装置２０２はインピーダンス整合回路１００１と、前置増幅回路１００２と、比較回路１００３と、昇圧コンバータ回路１００４と、出力段増幅回路１００５と、イネーブル回路１００６と、信号受信アンテナＲＸと、信号出力アンテナＴＸと、信号変調回路４０３とを備える。インピーダンス整合回路１００１はエミッタフォロワで実施され、主に信号受信アンテナＲＸとのインピーダンス整合に用いられる。前置増幅回路１００２はエミッタ共通増幅器で実施される。比較回路１００３及び上述のエミッタ共通増幅器１００２により信号インバーター回路４０２が構成される。昇圧コンバータ回路１００４は出力段増幅回路１００５にピーク電圧ＶＰＰを提供し、出力段増幅回路１００５が出力させる信号の振幅変動（ＳＷＩＮＧ）を増幅させる。
【００３３】
イネーブル回路１００６の配置は主にデータ伝送装置２０２の電力消費量を減少させる。イネーブル回路１００６は前置増幅回路１００２から出力されたパケット信号ＥＮＶを受信させる。パケットがイネーブル回路１００６に入力されると、イネーブル回路１００６が出力させるイネーブル信号ＥＮが有効になる。本実施形態では、イネーブル信号ＥＮは例えば信号変調回路４０３、信号インバーター回路１００３、及び昇圧コンバータ回路１００４を動作させるか否かの制御に用いられる。データ伝送装置２０２が投影型静電容量タッチパネル２０３に配置されていない場合、信号受信アンテナＲＸは如何なる信号も受信できず、パケット信号ＥＮＶ内にはパケットがなくなり、イネーブル回路１００６が出力させるイネーブル信号ＥＮも失効した状態になる。この際、信号変調回路４０３及び昇圧コンバータ回路１００４は起動しない。データ伝送装置２０２が投影型静電容量タッチパネル２０３に配置されると、信号受信アンテナＲＸは接触制御高周波検出信号ＲＦを受信でき、イネーブル回路１００６はパケットを有するパケット信号ＥＮＶを受信させ、出力されるイネーブル信号ＥＮが有効な状態になる。この際、信号変調回路４０３及び昇圧コンバータ回路１００４が起動される。これにより、データ伝送装置２０２は節電効果を達成させる。
【００３４】
前述の一実施形態では、信号増幅回路４０４は共振回路にハーフブリッジ転換器が組み合わされて実施される。然しながら、本実施形態では、信号増幅回路４０４は昇圧コンバータ回路１００４に出力段増幅回路１００５が組み合わされて実施される。本発明はこれらに制限されない。
【００３５】
図１１は本発明の一実施形態に係る接触制御通信システムのデータ伝送装置２０２の詳細な回路図である。図１１を参照すると、データ伝送装置２０２はインピーダンス整合回路１１０１と、前置増幅回路１１０２と、比較回路１１０３と、倍電圧回路１１０４と、出力段増幅回路１１０５と、イネーブル回路１１０６と、信号受信アンテナＲＸと、信号出力アンテナＴＸと、信号変調回路４０３とを備える。本実施形態は主にテキサスインスツルメンツの増幅器ＴＬ０８４に外部回路が組み合わされて実施される。インピーダンス整合回路１１０１は増幅器ＴＬ０８４を緩衝器とする形式で実施され、主に信号受信アンテナＲＸとのインピーダンス整合を行う。前置増幅回路１１０２は増幅器ＴＬ０８４に電気抵抗を組み合わせることでインバーター増幅器を構成させる形式で実施される。比較回路１１０３は増幅器ＴＬ０８４に基準電圧ＶＲＥＦが組み合わされて比較器を構成させる形式で実施される。比較回路１１０３及び上述の前置増幅回路１１０２により信号インバーター回路４０２が構成される。倍電圧回路１１０４は本来の電源電圧ＶＤＤを２倍にし、出力段増幅回路１１０５にピーク電圧ＶＰＰを提供し、出力段増幅回路１００５が出力させる信号の振幅変動（ＳＷＩＮＧ）を増幅させる。イネーブル回路１１０６の配置は主にデータ伝送装置２０２の電力消費量を減少させる。イネーブル回路１１０６及び上述の図１０のイネーブル回路１００６の機能は相似するため、詳述は省略する。
【００３６】
前述の一実施形態では、信号増幅回路４０４は昇圧コンバータ回路１００４に出力段増幅回路１００５が組み合わされて実施される。然しながら、本実施形態では、信号増幅回路４０４は倍電圧回路１１０４に出力段増幅回路１１０５が組み合わされて実施される。本発明はこれらに制限されない。
【００３７】
上述の複数の実施形態は、接触制御通信方法に帰納する。図１２は本発明の好ましい実施形態に係る接触制御通信方法のフローチャートである。図１２を参照すると、接触制御通信方法はデータ伝送装置２０２の伝送データＤＡＴＡは接触制御メディア（例えば投影型静電容量タッチパネル２０３）により携帯装置２０１に伝送される。接触制御通信方法は、以下の工程を含む。
工程Ｓ１２００：開始。
工程Ｓ１２０１：投影型静電容量タッチパネル２０３により接触制御高周波検出信号ＲＦを取得させる。
工程Ｓ１２０２：接触制御高周波検出信号ＲＦを逆変換させて増幅させることでインバーター信号ＩＮＶＲＦを獲得させる。
工程Ｓ１２０３：伝送データＤＡＴＡに基づいてインバーター信号ＩＮＶＲＦを投影型静電容量タッチパネル２０３に出力させるか否かを決定させ、投影型静電容量タッチパネル２０３がタッチ点の有無を検知させることで伝送データＤＡＴＡの論理状態を示し、伝送データを携帯装置２０１に伝送させる。
工程Ｓ１２０４：終了。
【００３８】
工程Ｓ１２０３は上述の実施形態では、マンチェスター（Ｍａｎｃｈｅｓｔｅｒ）符号化法と、パルス幅変調（Ｐｕｌｓｅ  Ｗｉｄｔｈ  Ｍｏｄｕｌａｔｉｏｎ、ＰＷＭ）符号化法と、パルス位置変調（Ｐｕｌｓｅ  Ｐｏｓｉｔｉｏｎ  Ｍｏｄｕｌａｔｉｏｎ、ＰＰＭ）符号化法と、バイフェーズ符号化（Ｂｉ  Ｐｈａｓｅ  ｅｎｃｏｄｉｎｇ）法とをさらに含む。
【００３９】
図１３は本発明の一実施形態に係る接触制御通信方法がマンチェスター（Ｍａｎｃｈｅｓｔｅｒ）の符号化法によりＳ１２０３工程を行うサブ工程のフローチャートである。図１３を参照すると、工程Ｓ１２０３は以下のサブ工程を含む。
工程Ｓ１３０１：伝送データの各ビットの論理状態を判断する。伝送データが第一論理である場合、工程Ｓ１３０２を実行し、伝送データが第二論理である場合、工程Ｓ１３０３を実行する。同様に、設計者は第一論理を論理１にし、第二論理を論理０にするか、或いは第一論理を論理０にし、第二論理を論理１にするかを任意で設計可能であり、詳述は省略する。
工程Ｓ１３０２：伝送データが第一論理である場合、周期中の第一期間にインバーター信号を出力させ、信号変調回路が上述の周期中の第二期間に第一状態電圧を出力させる。
工程Ｓ１３０３：伝送データが第二論理である場合、上述の周期中の第一期間に第一状態電圧を出力させ、信号変調回路が上述の周期中の第二期間にインバーター信号を出力させる。
【００４０】
上述の実施形態ではマンチェスター（Ｍａｎｃｈｅｓｔｅｒ）符号化法により工程Ｓ１２０３を実行する。図１４は本発明の一実施形態に係る接触制御通信方法がパルス幅変調（Ｐｕｌｓｅ  Ｗｉｄｔｈ  Ｍｏｄｕｌａｔｉｏｎ、ＰＷＭ）の符号化法によりＳ１２０３工程を行うサブ工程のフローチャートである。図１４を参照すると、工程Ｓ１２０３は以下のサブ工程を含む。
工程Ｓ１４０１：伝送データの各ビットの論理状態を判断する。伝送データが第一論理である場合、工程Ｓ１４０２を実行し、伝送データが第二論理である場合、工程Ｓ１４０３を実行する。同様に、設計者は第一論理を論理１にし、第二論理を論理０にするか、或いは第一論理を論理０にし、第二論理を論理１にするかを任意で設計可能であり、詳述は省略する。
工程Ｓ１４０２：伝送データが第一論理である場合、周期中に前段の第一時間長にインバーター信号を出力させた後、第一状態電圧を出力させる。
工程Ｓ１４０３：伝送データが第二論理である場合、上述の周期中の第二時間長にインバーター信号を出力させた後、第一状態電圧を出力させる。
【００４１】
本実施形態によると、第一時間長は第二時間長に等しくない。時間長により論理状態を区別する。
【００４２】
図１５は本発明の一実施形態に係る接触制御通信方法がパルス位置変調（Ｐｕｌｓｅ  Ｐｏｓｉｔｉｏｎ  Ｍｏｄｕｌａｔｉｏｎ、ＰＰＭ）の符号化法によりＳ１２０３工程を行うサブ工程のフローチャートである。図１５を参照すると、工程Ｓ１２０３は以下のサブ工程を含む。
工程Ｓ１５０１：伝送データの各ビットの論理状態を判断する。伝送データが第一論理である場合、工程Ｓ１５０２を実行し、伝送データが第二論理である場合、工程Ｓ１５０３を実行する。同様に、設計者は第一論理を論理１にし、第二論理を論理０にするか、或いは第一論理を論理０にし、第二論理を論理１にするかを任意で設計可能であり、詳述は省略する。
工程Ｓ１５０２：伝送データが第一論理である場合、前段の第一時間長にインバーター信号を出力させた後、第二時間長の第一状態電圧を出力させる。
工程Ｓ１５０３：伝送データが第二論理である場合、前段の第三時間長にインバーター信号を出力させた後、第二時間長の第一状態電圧を出力させる。第一時間長は第三時間長に等しくない。
【００４３】
図１６は本発明の一実施形態に係る接触制御通信方法がバイフェーズの符号化法（Ｂｉ  Ｐｈａｓｅ  ｅｎｃｏｄｉｎｇ）によりＳ１２０３工程を行うサブ工程のフローチャートである。図１６を参照すると、工程Ｓ１２０３は以下のサブ工程を含む。
工程Ｓ１６０１：変調信号を提供する。変調信号は第一状態及び第二状態に分けられる。第一状態及び第二状態はインバーター信号ＩＮＶＲＦの出力及びインバーター信号ＩＮＶＲＦの出力無しにそれぞれ対応される。換言すれば、第一状態は投影型静電容量タッチパネル２０３がタッチされる状態であり、第二状態は投影型静電容量タッチパネル２０３がタッチされない状態である。本技術分野で通常知識を有する者ならば、設計者が任意で、第一状態を投影型静電容量タッチパネル２０３がタッチされない状態に設計し、第二状態を投影型静電容量タッチパネル２０３がタッチされる状態に設計することが可能であると分かり、詳述は省略する。
工程Ｓ１６０２：伝送データの各ビットの論理状態を判断する。伝送データが第一論理である場合、工程Ｓ１６０３を実行し、伝送データが第二論理である場合、工程Ｓ１６０６を実行する。同様に、設計者は第一論理を論理１にし、第二論理を論理０にするか、或いは第一論理を論理０にし、第二論理を論理１にするかを任意で設計可能であり、詳述は省略する。
工程Ｓ１６０３：伝送データが第一論理である場合、変調信号の状態を判断する。変調信号の状態が第一状態である場合、工程Ｓ１６０４を実行し、変調信号の状態が第二状態である場合、工程Ｓ１６０５を実行する。
工程Ｓ１６０４：伝送データが前記第一論理であり且つ変調信号が第一状態である場合、変調信号は周期中の第一期間が第二状態となった後、変調信号は上述の周期中の第二期間が第一状態となる。
工程Ｓ１６０５：伝送データが第一論理であり且つ変調信号が第二状態である場合、変調信号は上述の周期中の第一期間が第一状態となった後、変調信号は上述の周期中の第二期間が第二状態となる。
工程Ｓ１６０６：伝送データが第二論理である場合、変調信号の状態を判断する。変調信号の状態が第一状態である場合、工程Ｓ１６０７を実行する。変調信号の状態が第二状態である場合、工程Ｓ１６０８を実行する。
工程Ｓ１６０７：伝送データが第二論理であり且つ変調信号が第一状態である場合、変調信号は上述の周期中の第一期間及び第二期間が第二状態となる。
工程Ｓ１６０８：伝送データが第二論理であり且つ変調信号が第二状態である場合、変調信号は周期中の第一期間及び第二期間が第一状態となる。
【００４４】
以上のとおり、本発明の精神はアンテナを利用して投影型静電容量タッチパネルが出力させる接触制御高周波検出信号を受信させ、データの論理状態に基づいて、上述の接触制御高周波検出信号を逆変換させるか否かを決定させ、且つ逆変換されたタッチ制御信号はアンテナにより投影型静電容量タッチパネルに返送され、投影型静電容量タッチパネルにタッチ点を検知させる。これにより、投影型静電容量タッチパネルはタッチ点の有無を検出させ、タッチパネルから伝送されたデータの論理状態を判定させる。
【００４５】
従って、本明細書に開示された実施形態は、本発明を限定するものではなく、説明するためのものであり、このような実施形態によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００４６】
１０１：駆動電極
１０２：受信電極
１０３：パルス出力回路
２０１：携帯装置
２０２：データ伝送装置
２０３：投影型静電容量タッチパネル
３０３：パルス検出出力回路
３０４：接触制御検出回路
３０１−１〜３０１−４：Ｘ軸誘導電極
３０２−１〜３０２−４：Ｙ軸誘導電極
ＲＦ：接触制御高周波検出信号
４０１：信号受信アンテナ
４０２：信号インバーター回路
４０３：信号変調回路
４０４：信号増幅回路
４０５：信号出力アンテナ
ＩＮＶ：インバーター信号
ＤＡＴＡ：送信データ
ＭＯＤ：変調信号
ＡＳ：増幅信号
４０６：前置増幅回路
４０７：フィルター
４０８：インバーター
ＡＲＦ：前置増幅後の接触制御高周波検出信号
ＦＲＦ：フィルター信号
５０１：Ｘ軸誘導電極
５０２：Ｙ軸誘導電極
５０３：電場信号
ＩＮＶＲＦ：インバーター接触制御高周波検出信号
５０４：インバーター電場信号
Ｔ１、Ｔ２、Ｔ３、Ｔ４、Ｔ５、Ｔ６、Ｔ７、Ｔ８：時間期間
６０１：最初の送信データＤＡＴＡの波形
６０２：クロック信号の波形
６０３：変調後の変調信号波形
８０１：ハーフブリッジ回路
８０２：共振回路
ＲＸ：信号受信アンテナ
ＴＸ：信号出力アンテナ
１００１：インピーダンス整合回路
１００２：前置増幅回路
１００３：比較回路
１００４：昇圧コンバータ回路
１００５：出力段増幅回路
１００６：イネーブル回路
ＶＰＰ：ピーク電圧
ＥＮＶ：パケット信号
ＥＮ：イネーブル信号
１１０１：インピーダンス整合回路
１１０２：前置増幅回路
１１０３：比較回路
１１０４：倍電圧回路
１１０５：出力段増幅回路
１１０６：イネーブル回路
Ｓ１２００〜Ｓ１２０４：本発明の好ましい実施例の接触制御通信方法のフローチャート
Ｓ１３０１〜Ｓ１３０３：本発明の好ましい実施例の接触制御通信方法がマンチェスター（Ｍａｎｃｈｅｓｔｅｒ）の符号化法によりＳ１２０３工程を行うサブ工程のフローチャート
Ｓ１４０１〜Ｓ１４０３：本発明の好ましい実施例の接触制御通信方法がパルス幅変調（Ｐｕｌｓｅ  Ｗｉｄｔｈ  Ｍｏｄｕｌａｔｉｏｎ、ＰＷＭ）の符号化法によりＳ１２０３工程を行うサブ工程のフローチャート
Ｓ１５０１〜Ｓ１５０３：本発明の好ましい実施例の接触制御通信方法がパルス位置変調（Ｐｕｌｓｅ  Ｐｏｓｉｔｉｏｎ  Ｍｏｄｕｌａｔｉｏｎ、ＰＰＭ）の符号化法によりＳ１２０３工程を行うサブ工程のフローチャート
Ｓ１６０１〜Ｓ１６０８：本発明の好ましい実施例の接触制御通信方法がバイフェーズ（Ｂｉ  Ｐｈａｓｅ  ｅｎｃｏｄｉｎｇ）の符号化法によりＳ１２０３工程を行うサブ工程のフローチャート
【図１】
2016076212.tif 000003
【図２】
2016076212.tif 000004
【図３】
2016076212.tif 000005
【図４】
2016076212.tif 000006
【図５】
2016076212.tif 000007
【図６Ａ】
2016076212.tif 000008
【図６Ｂ】
2016076212.tif 000009
【図６Ｃ】
2016076212.tif 000010
【図６Ｄ】
2016076212.tif 000011
【図７】
2016076212.tif 000012
【図８Ａ】
2016076212.tif 000013
【図８Ｂ】
2016076212.tif 000014
【図９】
2016076212.tif 000015
【図１０】
2016076212.tif 000016
【図１１】
2016076212.tif 000017
【図１２】
2016076212.tif 000018
【図１３】
2016076212.tif 000019
【図１４】
2016076212.tif 000020
【図１５】
2016076212.tif 000021
【図１６】
2016076212.tif 000022
【手続補正書】
【提出日】平成27年9月30日(2015.9.30)
【手続補正１】
【補正対象書類名】図面
【補正対象項目名】図３
【補正方法】変更
【補正の内容】
【図３】
2016076212.tif 000023